(57)【要約】【課題】  デジタルタイプの一眼レフカメラに好適で、光学性能が良好で、ズーム全域において明るいズームレンズ。【解決手段】  正の第１群Ｇ１、負の第２群Ｇ２、正の第３群Ｇ３を有し、変倍に際し、第１群Ｇ１は固定、第２群Ｇ２と第３群Ｇ３は可動であるズームレンズにおいて、第１群Ｇ１は負パワーの第１Ａ群１Ａと正パワーの第１Ｂ群１Ｂとを有し、第２群Ｇ２は第１負レンズ、接合正レンズ、第２負レンズ、第３負レンズを有し、第１Ａ群１Ａの焦点距離、第２群Ｇ２の焦点距離に関する条件式（１）、（２）を満たす。【選択図】        図１
2006301412.tif 000002
【特許請求の範囲】
【請求項１】
正パワーの第１レンズ群、負パワーの第２レンズ群、正パワーの第３レンズ群を有し、変倍に際し、第１レンズ群は固定、第２レンズ群と第３レンズ群は可動であるズームレンズにおいて、
第１レンズ群は負パワーの第１Ａ群と正パワーの第１Ｂ群とを有し、第２レンズ群は第１負レンズ、接合正レンズ、第２負レンズ、第３負レンズを有し、下記条件式を満たすことを特徴とするズームレンズ。
１０＜｜ｆ1A／ｆw ｜＜５０                                    ・・・（１）
０．７＜｜ｆ2 ／ｆw ｜＜１．１                                ・・・（２）
ただし、ｆ1Aは第１Ａ群の焦点距離、ｆ2 は第２レンズ群の焦点距離、ｆw は広角端での全系焦点距離である。
【請求項２】
請求項１において、第２レンズ群の接合正レンズは両凹負レンズと両凸正レンズの接合レンズであり、下記条件式を満たすことを特徴とするズームレンズ。
２０＜Δν2 ＜５０                                            ・・・（３）
ただし、Δν2 は接合正レンズにおける正レンズと負レンズのアッベ数の差である。
【請求項３】
請求項１又は２において、第２レンズ群は下記条件式を満たすことを特徴とするズームレンズ。
−０．５＜（ｒ1 ＋ｒ2 ）／（ｒ1 −ｒ2 ）＜１                  ・・・（４）
ただし、ｒ1 とｒ2 は第２レンズ群における第２負レンズの物体側及び像側の面の近軸曲率半怪である。
【請求項４】
請求項１から３の何れか１項において、第１レンズ群における負パワーの第１Ａ群は、負レンズと正レンズを有し、それらは分離されており、下記条件式を満たすことを特徴とするズームレンズ。
１．４８＜ｎd(1AN)＜１．７                                    ・・・（５）
ただし、ｎd(1AN)は第１Ａ群における負レンズのｄ線屈折率である。
【請求項５】
請求項１から４の何れか１項において、第２レンズ群は下記条件式を満たすことを特徴とするズームレンズ。
１．４８＜ｎd(21) ＜１．７                                    ・・・（６）
ただし、ｎd(21) は第２レンズ群における第１負レンズのｄ線屈折率である。
【請求項６】
請求項１から５の何れか１項において、第１レンズ群における正パワーの第１Ｂ群は、正レンズと負レンズの接合正レンズを有しており、下記条件式を満たすことを特徴とするズームレンズ。
２０＜ΔνIB＜４０                                            ・・・（７）
ただし、ΔνIBは第１Ｂ群の接合正レンズにおける正レンズと負レンズのアッベ数の差である。
【請求項７】
請求項１から６の何れか１項において、第３レンズ群は、正パワーの第３Ａ群、負パワーの第３Ｂ群、正パワーの第３Ｃ群を有し、変倍に際し、各群が移動することを特徴とするズームレンズ。
【請求項８】
請求項７において、第３Ｂ群は、広角端から望遠端への変倍時、第３Ｃ群との間隔が狭まるように移動し、下記条件式を満たすことを特徴とするズームレンズ。
１．１＜ｄBC／ＭＣ＜１．５                                    ・・・（８）
ただし、ｄBCは広角端と望遠端における第３Ｂ群と第３Ｃ群の空気間隔の変化量、ＭＣは第３Ｃ群の広角端から望遠端における移動量である。
【請求項９】
請求項７又は８において、第３Ａ群と第３Ｃ群は一体移動することを特徴とするズームレンズ。
【請求項１０】
請求項７から９の何れか１項において、第３Ａ群は、正レンズ、正レンズ、負レンズを有することを特徴とするズームレンズ。
【請求項１１】
請求項７から１０の何れか１項において、第３Ｂ群は、負レンズ、接合負レンズ、正レンズを有することを特徴とするズームレンズ。
【請求項１２】
請求項７から１１の何れか１項において、第３Ｃ群は、正レンズ、正レンズ、負レンズ、正レンズを有することを特徴とするズームレンズ。
【請求項１３】
請求項７から１２の何れか１項において、第３Ａ群、第３Ｂ群、第３Ｃ群において少なくとも１枚の正レンズは下記条件式を満たすことを特徴とするズームレンズ。
７０＜νP                                                     ・・・（９）
ただし、νP は正レンズのアッベ数である。
【請求項１４】
請求項１から１３の何れか１項記載のズームレンズと、該ズームレンズの像側に配置された撮像素子とを備えた撮像装置。
【発明の詳細な説明】
【技術分野】
【０００１】
本発明は、ズームレンズ及びそれを用いた撮像装置に関し、特に、ＴＴＬ方式のデジタルスチールカメラ等の交換レンズとして好適な大口径ズームレンズとそれを用いた撮像装置に関するものである。
【背景技術】
【０００２】
近年、デジタルカメラの普及には著しいものがあり、いわゆるコンパクトタイプのみでなく一眼レフタイプのカメラにもデジタル化の波が押し寄せている。特に、低価格な商品の発売をきっかけに、一般ユーザーへの普及が急速に進展している。一方、デジタルタイプの一眼レフカメラ（一眼レフレックスカメラ）においては、そのイメージャーサイズが統一されておらず、銀塩タイプにおいて一般的だったライカサイズから、いわゆるＡＰＳサイズ、あるいは新規格として提案されているフォーサーズのサイズまで、様々な製品が提案されている。このとき、イメージャーサイズが小さくなってもプリントのサイズは変わらないことが多いので、画像の引き伸ばし倍率が必然的に大きくなり、結果としてレンズに求められる解像度も高めなければならない。また、イメージャーの特性として、斜入射光に対してはその角度が大きくなると光線がケラレやすいという性質を持つため、レンズからの射出角度に十分注意を払う必要がある。さらに、モニターにて観察される機会も多く、残存する色収差が目立ったり、周辺減光が目立ったりと、従来以上に高性能が求められている。また、イメージャーサイズが小さな場合、撮影画角をライカサイズと一致させるためには、レンズの焦点距離がイメージャーサイズの比率分小さくなる。このことは、レンズの全長短縮においては有利であるが、一方でバックフォーカスの短縮は難しいため、いわゆるレトロ比を上げる必要が生じ、高性能化と合わせて、レンズ構成上新たな課題となる。
【０００３】
このように、デジタルタイプの一眼レフカメラに用いられる交換レンズは、従来の銀塩用と異なった新たな設計が必要とされている。
【０００４】
後記するように、本発明は、このようなデジタルタイプの一眼レフカメラに好適な交換レンズであり、中でも中望遠系のズームレンズを提供するものである。特に、ズーム全域でＦナンバーが２を確保しており、従来にない大口径レンズである。その効果としては、夜景等の暗い被写体においてはブレ等の失敗が減少し、あるいは、動く被写体においてはより高速シャッターが可能であるので、今までできなかった新しい表現が可能となる。
【０００５】
従来例として、銀塩用の中望遠ズームレンズとしては、特許文献１や特許文献２等のものが提案されている。何れも約３４°から１２°程度の画角を持ち、正の第１群、負の第２群、正の第３群、正の第４群を基本構成とし、第１群を正の前群及び正の後群から構成し、後群にてフォーカスを行うようにしている。しかしながら、何れの例もＦナンバーが２．８程度である。
【０００６】
また、ズーム全域でＦ２を実現したレンズとしては、特許文献３のものが提案されている。これは、正の第１群、負の第２群、正の第３群、負の第４群、正の第５群の５群ズームタイプにて構成されているが、変倍比が２程度であり、収差補正も十分ではない。
【０００７】
また、高倍率のテレビカメラ用ズームレンズとして、特許文献４あるいは特許文献５等のものが堤案されている。これらは、正の第１群、負の第２群、正又は負の第３群、正の第４群の４群ズームタイプにて構成されており、第１群を負の前群及び正の後群から構成し、近距離への合焦に際し、特許文献４では前群を像側、後群を物体側へ移動し、特許文献５では前群を固定し、後群を物体側へ移動する。何れの例も、収差、特に望遠端での色収差補正が十分でない。
【特許文献１】特開２００２−１６２５６４号公報
【特許文献２】特開２００１−３４４７６６号公報
【特許文献３】特開平９−３２５２７４号公報
【特許文献４】特許第３，０６３，５２９号公報
【特許文献５】特許第３，１１１，７６６号公報
【発明の開示】
【発明が解決しようとする課題】
【０００８】
本発明は従来技術のこのような状況に鑑みてなされたものであり、その目的は、特に、デジタルタイプの一眼レフカメラに好適で、光学性能が良好で、ズーム全域において明るいズームレンズとそれを用いた撮像装置を提供することである。
【課題を解決するための手段】
【０００９】
上記目的を達成する本発明のズームレンズは、正パワーの第１レンズ群、負パワーの第２レンズ群、正パワーの第３レンズ群を有し、変倍に際し、第１レンズ群は固定、第２レンズ群と第３レンズ群は可動であるズームレンズにおいて、
第１レンズ群は負パワーの第１Ａ群と正パワーの第１Ｂ群とを有し、第２レンズ群は第１負レンズ、接合正レンズ、第２負レンズ、第３負レンズを有し、下記条件式を満たすことを特徴とするものである。
【００１０】
１０＜｜ｆ1A／ｆw ｜＜５０                                    ・・・（１）
０．７＜｜ｆ2 ／ｆw ｜＜１．１                                ・・・（２）
ただし、ｆ1Aは第１Ａ群の焦点距離、ｆ2 は第２レンズ群の焦点距離、ｆw は広角端での全系焦点距離である。
【００１１】
以下に、本発明のズームレンズにおいて上記構成をとる理由と作用を説明する。
【００１２】
条件式（１）は、第１Ａ群のパワーに関する条件式である。通常、一眼レフカメラ等に用いられるズームレンズは、広角端において十分長いバックフォーカスが必要であり、レンズ全長が増大しやすい。また、Ｆナンバーを小さくしようとすると、第１レンズ群での光線高が高くなり、レンズ径が大きくなりがちである。このような光学系の大型化を防ぐために、本発明では第１レンズ群の先頭に負パワーの第１Ａ群を配置している。条件式（１）の下限の１０を越えて負パワーが強くなると、小型化には有利であるが、コマ収差や非点収差の発生が大きくなりすぎ、全系での収差補正が困難になる。その上限の５０を越えて負パワーが弱くなると、前玉径が増大し、バックフォーカスを確保できなくなる。
【００１３】
条件式（２）は、第２レンズ群のパワーに関する条件式である。本発明のズームレンズにおいては、変倍の大部分を第２レンズ群が担っている。したがって、第２レンズ群の移動スペースが必要となるが、条件式（２）の上限の１．１を越えてパワーが弱くなると、変倍に伴う移動量が大きくなり、レンズ系が大型化してしまい好ましくない。一方、その下限の０．７を越えてパワーが強くなると、移動量は小さくなるため全長短縮には有効であるが、変倍に伴う収差変動が大きくなり、他のレンズ群では補正できなくなる。
【００１４】
また、第２レンズ群の接合正レンズは、両凹負レンズと両凸正レンズの接合であることが望ましい。本発明のズームレンズでは色収差の補正が非常に重要であり、変倍作用の多くを負担している第２レンズ群にて生じる色収差を十分に補正しておかないと、変倍に伴う色収差の変動が大きくなってしまう。良好な色収差補正のためには、両凹負レンズと両凸正レンズの接合正レンズを配置する。このとき、下記条件式（３）を満足することが望ましい。
【００１５】
２０＜Δν2 ＜５０                                            ・・・（３）
ただし、Δν2 はその接合正レンズにおける正レンズと負レンズのアッベ数の差である。
【００１６】
条件式（３）は、接合面での色収差補正作用に関するもので、下限の２０を越えてアッベ数差が小さくなると、接合面での補正作用が弱くなるので色収差補正が不十分であり、上限の５０を越えると、接合面で発生する色収差が過大となり全系での補正が困難になる。
【００１７】
また、第２レンズ群は下記条件式（４）を満足することが望ましい。
【００１８】
−０．５＜（ｒ1 ＋ｒ2 ）／（ｒ1 −ｒ2 ）＜１                  ・・・（４）
ただし、ｒ1 とｒ2 は第２レンズ群における第２負レンズの物体側及び像側の面の近軸曲率半怪である。
【００１９】
条件式（４）は、第２レンズ群の第２負レンズの形状に関する条件式である。前記したように、第２レンズ群での色収差を補正するため接合正レンズを配置する。この接合正レンズは色収差以外にも、広角端では非点収差や歪曲収差を発生し、望遠端では球面収差やコマ収差を発生している。これらの発生した収差を適切に打ち消すために、第２負レンズの形状は条件式（４）を満たすことが望ましい。このとき、第２負レンズは両凹形状であり、条件式（４）の上限の１、下限の−０．５何れを越えても、全系の収差補正が困難になる。
【００２０】
また、第１レンズ群における負パワーの第１Ａ群は、負レンズと正レンズを有し、それらは空気間隔を挟んで配置されており、下記条件式を満たすことが望ましい。
【００２１】
１．４８＜ｎd(1AN)＜１．７                                    ・・・（５）
ただし、ｎd(1AN)は第１Ａ群における負レンズのｄ線屈折率である。
【００２２】
第１レンズ群内においては、正パワーの第１Ｂ群により発生する球面収差やコマ収差を負パワーの第１Ａ群にて補正しているが、そのためには第１Ａ群に負レンズと正レンズを分離して（空気間隔を挟んで）配置し、さらに負レンズは曲率の強い面を像側へ向けていることが望ましい。
【００２３】
また、本発明の目的は大口径かつ高性能なズームレンズを実現することであるが、あくまでもコンシューマーをユーザーとしたレンズ系であるから適切なコストであることが求められる。特に、レンズ径の大きな負レンズに屈折率の高い硝材を用いると、材料費及び加工費が高くなってしまうので、コストを抑制するために条件式（５）を満たすことが望ましい。条件式（５）の上限の１．７を越えて屈折率が高くなると、収差補正には有利であるが、コストが高くなり好ましくない。一方、下限の１．４８を越えて屈折率が低くなると、異常分散性の強い硝材しかなく、色収差の補正上好ましくない。
【００２４】
また、第２レンズ群は下記条件式を満たすことが望ましい。
【００２５】
１．４８＜ｎd(21) ＜１．７                                    ・・・（６）
ただし、ｎd(21) は第２レンズ群における第１負レンズのｄ線屈折率である。
【００２６】
条件式（６）は、第２レンズ群の第１負レンズに関し、条件式（５）と同様にコストを抑制するための条件式である。
【００２７】
条件式（６）の上限の１．７を越えて屈折率が高くなると、収差補正には有利であるが、コストが高くなり好ましくない。一方、下限の１．４８を越えて屈折率が低くなると、異常分散性の強い硝材しかなく、色収差の補正上好ましくない。
【００２８】
また、第１レンズ群における正パワーの第１Ｂ群は、正レンズと負レンズの接合正レンズを有しており、下記条件式を満たすことが望ましい。
【００２９】
２０＜ΔνIB＜４０                                            ・・・（７）
ただし、ΔνIBは第１Ｂ群の接合正レンズにおける正レンズと負レンズのアッベ数の差である。
【００３０】
第１レンズ群内では高次の色収差が多く発生しているが、それらの高次色収差を第１Ｂ群の接合面で打ち消している。条件式（７）の下限の２０を越えると、色収差補正が十分に行えなくなり、上限の４０を越えると、接合面で発生する色収差が過大になり全系での補正が困難となる。
【００３１】
また、第１Ｂ群は両凸レンズと両凹レンズの接合であることが望ましい。
【００３２】
また、第３レンズ群は、正パワーの第３Ａ群、負パワーの第３Ｂ群、正パワーの第３Ｃ群を有し、変倍に際し、各群が移動することが望ましい。
【００３３】
また、第３Ｂ群は、広角端から望遠端への変倍時、第３Ｃ群との間隔が狭まるように移動し、下記条件式を満たすことことが望ましい。
【００３４】
１．１＜ｄBC／ＭＣ＜１．５                                    ・・・（８）
ただし、ｄBCは広角端と望遠端における第３Ｂ群と第３Ｃ群の空気間隔の変化量、ＭＣは第３Ｃ群の広角端から望遠端における移動量である。
【００３５】
第３レンズ群は結像作用及び像面補正作用を担っている。従来の例では、第３レンズ群を正パワー群にて構成する場合、あるいは、負パワー群と正パワー群で構成する場合が多いが、本発明では、正パワーの第３Ａ群、負パワーの第３Ｂ群、正パワーの第３Ｃ群にて構成している。特に、広角端から望遠端への変倍において、負パワーの第３Ｂ群を第３Ｃ群へ近づくように移動させることにより、変倍に伴う像面変動を十分に補正することが可能となる。条件式（８）の下限の１．１を越えると、その補正作用が不十分であり、上限の１．５を越えると、その補正作用が過多になると同時に、第３Ｂ群の移動量が大きくなるため、全長が大きくなってしまい好ましくない。
【００３６】
また、変倍時、第３Ａ群と第３Ｃ群は一体移動することが望ましい。機械的な機構を簡略化するために第３Ａ群と第３Ｃ群は一体的に移動することが好ましい。
【００３７】
また、第３Ａ群は、正レンズ、正レンズ、負レンズを有することことが望ましい。
【００３８】
また、第３Ｂ群は、負レンズ、接合負レンズ、正レンズを有することが望ましい。
【００３９】
また、第３Ｃ群は、正レンズ、正レンズ、負レンズ、正レンズを有することが望ましい。
【００４０】
また、第３Ａ群、第３Ｂ群、第３Ｃ群において少なくとも１枚の正レンズは下記条件式を満たすことが望ましい。
【００４１】
７０＜νP                                                     ・・・（９）
ただし、νP はその正レンズのアッベ数である。
【００４２】
条件式（９）は、色収差補正に関するものである。本発明のズームレンズは大口径でありながら、高性能が求められており、望遠系であるため、特に色収差の補正が重要である。条件式（９）の下限の７０を越えると、残存する色収差が大きくなり好ましくない。
【００４３】
上述の各構成や条件式は、適宜組み合わせることで、それぞれの効果を奏するので、より効果的である。
【００４４】
また、本発明の撮像装置は、以上のズームレンズと、該ズームレンズの像側に配置された撮像素子とを備えることを特徴とする。
【００４５】
これにより、上記ズームレンズと同様の効果が得られる。
【発明の効果】
【００４６】
以上の本発明によると、特にデジタルタイプの一眼レフカメラに好適で、光学性能が良好で、ズーム全域において明るいズームレンズとそれを用いた撮像装置を提供できる。
【発明を実施するための最良の形態】
【００４７】
以下、本発明のズームレンズの実施例１〜４について説明する。実施例１〜４の無限遠物点合焦時の広角端（ａ）、望遠端（ｂ）のレンズ断面図をそれぞれ図１〜図４に示す。図１〜図４中、第１レンズ群はＧ１、第１Ａ群は１Ａ、第１Ｂ群は１Ｂ、第１Ｃ群は１Ｃ、第２レンズ群はＧ２、開口絞りはＳ、第３レンズ群はＧ３、第３Ａ群は３Ａ、第３Ｂ群は３Ｂ、第３Ｃ群は３Ｃ、赤外光を制限する波長域制限コートを施したローパスフィルタ等を構成する平行平板はＦ、像面はＩで示してある。
【００４８】
実施例１〜３のズームレンズは、それぞれ図１〜図３に示すように、物体側から順に、像側に凹な負メニスカスレンズと、両凸正レンズからなる第１Ａ群１Ａ、両凸正レンズと両凹負レンズの接合正レンズからなる第１Ｂ群１Ｂ、両凸正レンズ１枚からなる第１Ｃ群１Ｃ、像側に凹な負メニスカスレンズ、両凹負レンズと両凸正レンズの接合正レンズ、両凹負レンズ、物体側に凹な負メニスカスレンズからなる第２レンズ群Ｇ２、絞りＳ、両凸正レンズ、両凸正レンズ、物体側に凹な負メニスカスレンズからなる第３Ａ群３Ａ、両凹負レンズ、物体側に凹な負メニスカスレンズと像側に凸な正メニスカスレンズの接合負レンズ、像側に凸な正メニスカスレンズからなる第３Ｂ群３Ｂ、両凸正レンズ、両凸正レンズ、両凹負レンズ、凸平正レンズからなる第３Ｃ群３Ｃにて構成されている。なお、何れのレンズも球面レンズで構成されている。また、第１Ａ群１Ａと、第１Ｂ群１Ｂと、第１Ｃ群１Ｃで正パワーの第１レンズ群Ｇ１を、第３Ａ群３Ａと、第３Ｂ群３Ｂと、第３Ｃ群３Ｃで正パワーの第３レンズ群Ｇ３を構成している。
【００４９】
広角端から望遠端への変倍において、第１レンズ群Ｇ１は固定、第２レンズ群Ｇ２は像側へ単調に移動し、第３Ａ群３Ａと第３Ｃ群３Ｃは一体的に物体側へ移動した後、像側へ若干戻るように移動し、第３Ｂ群３Ｂも物側へ移動した後、第３Ａ群及び第３Ｃ群よりも大きく像側へ戻るように移動する。絞りＳは第３Ａ群３Ａと一体に移動する。
【００５０】
また、無限遠物点から至近物点へのフォーカスにおいては、第１Ａ群１Ａ、第１Ｂ群１Ｂ、第１Ｃ群１Ｃは何れも物体側へ移動するが、第１Ａ群１Ａと第１Ｂ群１Ｂの間隔及び第１Ｂ群１Ｂと第１Ｃ群１Ｃの間隔は何れも小さくなるように移動する。
【００５１】
実施例４のズームレンズは、図４に示すように、物体側から順に、像側に凹な負メニスカスレンズと、両凸正レンズからなる第１Ａ群１Ａ、両凸正レンズと両凹負レンズの接合正レンズ、両凸正レンズからなる第１Ｂ群１Ｂ、像側に凹な負メニスカスレンズ、両凹負レンズと両凸正レンズの接合正レンズ、両凹負レンズ、物体側に凹な負メニスカスレンズからなる第２レンズ群Ｇ２、絞りＳ、両凸正レンズ、両凸正レンズ、物体側に凹な負メニスカスレンズからなる第３Ａ群３Ａ、両凹負レンズ、物体側に凹な負メニスカスレンズと像側に凸な正メニスカスレンズの接合負レンズ、像側に凸な正メニスカスレンズからなる第３Ｂ群３Ｂ、両凸正レンズ、両凸正レンズ、物体側に凹な負メニスカスレンズ、凸平正レンズからなる第３Ｃ群３Ｃにて構成されている。なお、何れのレンズも球面レンズで構成されている。また、第１Ａ群１Ａと、第１Ｂ群１Ｂで正パワーの第１レンズ群Ｇ１を、第３Ａ群３Ａと、第３Ｂ群３Ｂと、第３Ｃ群３Ｃで正パワーの第３レンズ群Ｇ３を構成している。
【００５２】
広角端から望遠端への変倍において、第１レンズ群Ｇ１は固定、第２レンズ群Ｇ２は像側へ単調に移動し、第３Ａ群３Ａと第３Ｃ群３Ｃは一体的に物体側へ移動した後、像側へ若干戻るように移動し、第３Ｂ群３Ｂも物側へ移動した後、第３Ａ群及び第３Ｃ群よりも大きく像側へ戻るように移動する。絞りＳは第３Ａ群３Ａと一体に移動する。
【００５３】
また、無限遠物点から至近物点へのフォーカスにおいては、第１Ａ群１Ａ、第１Ｂ群１Ｂは何れも物体側へ移動するが、第１Ａ群１Ａと第１Ｂ群１Ｂの間隔は小さくなるように移動する。
【００５４】
以下に、上記各実施例の数値データを示すが、記号は上記の外、ｆは全系焦点距離、ＦNOはＦナンバー、２ωは全画角、ＷＥは広角端、ＳＴは中間状態、ＴＥは望遠端、ＩＯは物像距離、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。
【００５５】
実施例１
ｆ (mm)   ＝ 35.5 〜 59.2 〜 98.5 
ＦNO      ＝  2.04〜  2.04〜  2.04
２ω (°) ＝ 34.37〜 20.70〜 12.45
ｒ1 =   820.7951            ｄ1 =  4.5      ｎd1 =1.51633 νd1 =64.14 
ｒ2 =    75.564             ｄ2 =  5.1817   
ｒ3 =   166.5114            ｄ3 =  7.5      ｎd2 =1.60311 νd2 =60.64 
ｒ4 = -1183.3605            ｄ4 = （可変）  
ｒ5 =   224.0176            ｄ5 =  8.2      ｎd3 =1.6779  νd3 =55.34 
ｒ6 =  -125                 ｄ6 =  4        ｎd4 =1.76182 νd4 =26.52 
ｒ7 =  1126.5845            ｄ7 = （可変）  
ｒ8 =    72.0082            ｄ8 = 10.0679   ｎd5 =1.497   νd5 =81.54 
ｒ9 =  -229.4539            ｄ9 = （可変）  
ｒ10=   117.0783            ｄ10=  2.4      ｎd6 =1.51633 νd6 =64.14 
ｒ11=    31.789             ｄ11=  6.3162   
ｒ12=  -171.8247            ｄ12=  2.2      ｎd7 =1.48749 νd7 =70.23 
ｒ13=    49.6003            ｄ13=  6.5353   ｎd8 =1.80518 νd8 =25.42 
ｒ14=   -78.7899            ｄ14=  0.7739   
ｒ15=  -138.0585            ｄ15=  2        ｎd9 =1.58313 νd9 =59.38 
ｒ16=    60.3472            ｄ16=  6.1954   
ｒ17=   -34.0638            ｄ17=  2        ｎd10=1.69895 νd10=30.13 
ｒ18=  -153.1042            ｄ18= （可変）  
ｒ19=     ∞（絞り）        ｄ19=  1.5      
ｒ20=    91.9439            ｄ20=  5.517    ｎd11=1.72916 νd11=54.68 
ｒ21=  -158.8693            ｄ21=  0.2      
ｒ22=    40.7629            ｄ22=  8.1245   ｎd12=1.497   νd12=81.54 
ｒ23=   -55.9655            ｄ23=  1.5463   
ｒ24=   -51.1967            ｄ24=  2.1      ｎd13=1.7495  νd13=35.28 
ｒ25=  -116.6645            ｄ25= （可変）  
ｒ26=  -109.2818            ｄ26=  1.9      ｎd14=1.62004 νd14=36.26 
ｒ27=    50.872             ｄ27=  7.9093   
ｒ28=   -24.0531            ｄ28=  2.1      ｎd15=1.62004 νd15=36.26 
ｒ29=  -188.1345            ｄ29=  4.8      ｎd16=1.80518 νd16=25.42 
ｒ30=   -44.5403            ｄ30=  0.2      
ｒ31=  -166.3752            ｄ31=  5.9092   ｎd17=1.43875 νd17=94.93 
ｒ32=   -32.9776            ｄ32= （可変）  
ｒ33=   504.4982            ｄ33=  5.8182   ｎd18=1.497   νd18=81.54 
ｒ34=   -58.8559            ｄ34=  0.2      
ｒ35=   105                 ｄ35=  4.8      ｎd19=1.48749 νd19=70.23 
ｒ36=  -105                 ｄ36=  2.9316   
ｒ37=   -47.2291            ｄ37=  2.5      ｎd20=1.801   νd20=34.97 
ｒ38=   650.4356            ｄ38=  0.2      
ｒ39=    60.9814            ｄ39=  4.6      ｎd21=1.72916 νd21=54.68 
ｒ40=     ∞                ｄ40= （可変）  
ｒ41=     ∞                ｄ41=  4.5      ｎd22=1.51633 νd22=64.14 
ｒ42=     ∞                ｄ42=  1        
ｒ43=     ∞（像面）        
ズームデータ（ＩＯ＝∞）
ＷＥ            ＳＴ            ＴＥ
ｆ (mm)            35.5            59.2            98.5     
ｄ4                 9.67591         9.67591         9.67591 
ｄ7                 7.69638         7.69638         7.69638 
ｄ9                 1              16.45402        33.0783  
ｄ18               38.2695         16.96303         1.5     
ｄ25                1.52459         3.78217         7.69904 
ｄ32                7.68136         5.42378         1.5069  
ｄ40               40.08505        45.92751        44.74918 
ズームデータ（ＩＯ＝1.1m）
ＷＥ            ＳＴ            ＴＥ
ｆ (mm)            35.5            59.2            98.5     
ｄ4                 1               1               1       
ｄ7                 1               1               1       
ｄ9                16.87229        32.32631        48.95059 
ｄ18               38.2695         16.96303         1.5     
ｄ25                1.52459         3.78217         7.69904 
ｄ32                7.68136         5.42378         1.5069  
ｄ40               40.08505        45.92751        44.74918                 。
【００５６】
実施例２
ｆ (mm)   ＝ 35.5 〜  59.2〜 98.5 
ＦNO      ＝  2.04〜  2.04〜  2.04
２ω (°) ＝ 34.37〜 20.70〜 12.45
ｒ1 =   230.4647            ｄ1 =  4.5      ｎd1 =1.51633 νd1 =64.14 
ｒ2 =    70.3462            ｄ2 =  7.6347   
ｒ3 =   254.8872            ｄ3 =  8.7564   ｎd2 =1.51633 νd2 =64.14 
ｒ4 =  -342.4924            ｄ4 = （可変）  
ｒ5 =   101.4896            ｄ5 =  7.3363   ｎd3 =1.6779  νd3 =55.34 
ｒ6 =  -793.0165            ｄ6 =  4        ｎd4 =1.76182 νd4 =26.52 
ｒ7 =   144.5062            ｄ7 = （可変）  
ｒ8 =    71.2808            ｄ8 =  9.75     ｎd5 =1.497   νd5 =81.54 
ｒ9 =  -216.8724            ｄ9 = （可変）  
ｒ10=   261.8076            ｄ10=  2.2227   ｎd6 =1.67003 νd6 =47.23 
ｒ11=    34.5641            ｄ11=  6.2959   
ｒ12=  -114.5206            ｄ12=  2.2      ｎd7 =1.51742 νd7 =52.43 
ｒ13=    46.1393            ｄ13=  7.2039   ｎd8 =1.78472 νd8 =25.68 
ｒ14=   -76.8615            ｄ14=  2.2776   
ｒ15=  -134.6644            ｄ15=  2.2454   ｎd9 =1.7495  νd9 =35.28 
ｒ16=   146.9013            ｄ16=  4.6689   
ｒ17=   -34.2611            ｄ17=  3.376    ｎd10=1.48749 νd10=70.23 
ｒ18=  -252.7804            ｄ18= （可変）  
ｒ19=     ∞（絞り）        ｄ19=  1.5      
ｒ20=    91.3676            ｄ20=  4.6212   ｎd11=1.72916 νd11=54.68 
ｒ21=  -196.8329            ｄ21=  0.112    
ｒ22=    48.7795            ｄ22= 10.3931   ｎd12=1.497   νd12=81.54 
ｒ23=   -54.0172            ｄ23=  1.518    
ｒ24=   -50.4396            ｄ24=  2.5      ｎd13=1.68893 νd13=31.07 
ｒ25=  -174.4774            ｄ25= （可変）  
ｒ26=  -128.4933            ｄ26=  2.5084   ｎd14=1.62004 νd14=36.26 
ｒ27=    65.4196            ｄ27=  6.9346   
ｒ28=   -27.2588            ｄ28=  2.5      ｎd15=1.62004 νd15=36.26 
ｒ29=  -276.0557            ｄ29=  4.8512   ｎd16=1.80518 νd16=25.42 
ｒ30=   -47.6494            ｄ30=  0.1021   
ｒ31=  -151.3743            ｄ31=  5.0693   ｎd17=1.497   νd17=81.54 
ｒ32=   -43.0894            ｄ32= （可変）  
ｒ33=   261.1296            ｄ33=  6.7533   ｎd18=1.497   νd18=81.54 
ｒ34=   -48.8666            ｄ34=  0.2      
ｒ35=    84.3111            ｄ35=  4.9058   ｎd19=1.48749 νd19=70.23 
ｒ36=  -173.3058            ｄ36=  2.4696   
ｒ37=   -50.3376            ｄ37=  2.5672   ｎd20=1.801   νd20=34.97 
ｒ38=   182.7879            ｄ38=  0.2      
ｒ39=    59.7671            ｄ39=  9.1154   ｎd21=1.72916 νd21=54.68 
ｒ40=     ∞                ｄ40= （可変）  
ｒ41=     ∞                ｄ41=  4.5      ｎd22=1.51633 νd22=64.14 
ｒ42=     ∞                ｄ42=  1        
ｒ43=     ∞（像面）        
ズームデータ（ＩＯ＝∞）
ＷＥ            ＳＴ            ＴＥ
ｆ (mm)            35.5            59.2            98.5     
ｄ4                14.14114        14.14114        14.14114 
ｄ7                 2.64224         2.64224         2.64224 
ｄ9                 1              15.7081         30.79632 
ｄ18               38.53468        17.12815         1.5     
ｄ25                1.66216         4.93999        10.90659 
ｄ32               10.77598         7.49814         1.53155 
ｄ40               40.09922        46.79775        47.33782 
ズームデータ（ＩＯ＝1.1m）
ＷＥ            ＳＴ            ＴＥ
ｆ (mm)            35.5            59.2            98.5     
ｄ4                 2.3             2.3             2.3     
ｄ7                 0.1             0.1             0.1     
ｄ9                15.69276        30.40086        45.48908 
ｄ18               38.53468        17.12815         1.5     
ｄ25                1.66216         4.93999        10.90659 
ｄ32               10.77598         7.49814         1.53155 
ｄ40               40.09922        46.79775        47.33782                 。
【００５７】
実施例３
ｆ (mm)   ＝ 35.5 〜 59.2 〜 98.5 
ＦNO      ＝  2.04〜  2.04〜  2.04
２ω (°) ＝ 34.37〜 20.70〜 12.45
ｒ1 =   313.8082            ｄ1 =  4.5      ｎd1 =1.51633 νd1 =64.14 
ｒ2 =    72.6405            ｄ2 =  9.2208   
ｒ3 =   195.1728            ｄ3 =  7.5      ｎd2 =1.60311 νd2 =60.64 
ｒ4 =  -672.762             ｄ4 = （可変）  
ｒ5 =   130.8382            ｄ5 =  8.2      ｎd3 =1.6779  νd3 =55.34 
ｒ6 =  -273.3399            ｄ6 =  4        ｎd4 =1.76182 νd4 =26.52 
ｒ7 =   202.8899            ｄ7 = （可変）  
ｒ8 =    73.2742            ｄ8 = 10.7436   ｎd5 =1.497   νd5 =81.54 
ｒ9 =  -216.3256            ｄ9 = （可変）  
ｒ10=   196.661             ｄ10=  2.4      ｎd6 =1.51633 νd6 =64.14 
ｒ11=    30.894             ｄ11=  6.0148   
ｒ12=  -125.5495            ｄ12=  2.2      ｎd7 =1.48749 νd7 =70.23 
ｒ13=    48.1609            ｄ13=  6.4793   ｎd8 =1.80518 νd8 =25.42 
ｒ14=   -78.72              ｄ14=  0.5488   
ｒ15=  -217.4463            ｄ15=  2        ｎd9 =1.713   νd9 =53.87 
ｒ16=    72.6957            ｄ16=  5.287    
ｒ17=   -33.7543            ｄ17=  2.5724   ｎd10=1.69895 νd10=30.13 
ｒ18=  -109.8588            ｄ18= （可変）  
ｒ19=     ∞（絞り）        ｄ19=  1.5      
ｒ20=   114.8984            ｄ20=  4        ｎd11=1.72916 νd11=54.68 
ｒ21=  -152.555             ｄ21=  0.2      
ｒ22=    42.4833            ｄ22=  8.3291   ｎd12=1.497   νd12=81.54 
ｒ23=   -52.2912            ｄ23=  1.5213   
ｒ24=   -48.6852            ｄ24=  2.1      ｎd13=1.7495  νd13=35.28 
ｒ25=  -107.1729            ｄ25= （可変）  
ｒ26=  -115.504             ｄ26=  1.9      ｎd14=1.62004 νd14=36.26 
ｒ27=    59.991             ｄ27=  7.0656   
ｒ28=   -23.8258            ｄ28=  2.1      ｎd15=1.62004 νd15=36.26 
ｒ29=  -130.1579            ｄ29=  4.8      ｎd16=1.80518 νd16=25.42 
ｒ30=   -43.4686            ｄ30=  0.2      
ｒ31=  -129.709             ｄ31=  7.2073   ｎd17=1.43875 νd17=94.93 
ｒ32=   -33.0039            ｄ32= （可変）  
ｒ33=   497.273             ｄ33=  5.8504   ｎd18=1.497   νd18=81.54 
ｒ34=   -63.2685            ｄ34=  0.2      
ｒ35=    88.062             ｄ35=  5.9818   ｎd19=1.497   νd19=81.54 
ｒ36=  -111.587             ｄ36=  3.4751   
ｒ37=   -49.021             ｄ37=  2.5      ｎd20=1.7495  νd20=35.28 
ｒ38=   200.434             ｄ38=  0.2      
ｒ39=    59.3242            ｄ39=  4.6      ｎd21=1.7432  νd21=49.34 
ｒ40=     ∞                ｄ40= （可変）  
ｒ41=     ∞                ｄ41=  4.5      ｎd22=1.51633 νd22=64.14 
ｒ42=     ∞                ｄ42=  1        
ｒ43=     ∞（像面）        
ズームデータ（ＩＯ＝∞）
ＷＥ            ＳＴ            ＴＥ
ｆ (mm)            35.5            59.2            98.5     
ｄ4                13.67432        13.67432        13.67432 
ｄ7                 3.10952         3.10952         3.10952 
ｄ9                 3.8            18.87409        34.95436 
ｄ18               37.66545        16.68848         1.5     
ｄ25                1.89124         4.27802         8.3678  
ｄ32                7.97657         5.58979         1.5     
ｄ40               40.10912        46.00909        45.0989  
ズームデータ（ＩＯ＝1.1m）
ＷＥ            ＳＴ            ＴＥ
ｆ (mm)            35.5            59.2            98.5     
ｄ4                 1               1               1       
ｄ7                 1               1               1       
ｄ9                19.08384        34.15793        50.2382  
ｄ18               37.66545        16.68848         1.5     
ｄ25                1.89124         4.27802         8.3678  
ｄ32                7.97657         5.58979         1.5     
ｄ40               40.10912        46.00909        45.09895                 。
【００５８】
実施例４
ｆ (mm)   ＝ 35.5 〜 59.2 〜 98.5 
ＦNO      ＝  2.04〜  2.04〜  2.04
２ω (°) ＝ 34.37〜 20.70〜 12.45
ｒ1 =   294.7069            ｄ1 =  4.5      ｎd1 =1.51633 νd1 =64.14 
ｒ2 =    73.605             ｄ2 =  6.659    
ｒ3 =   176.9569            ｄ3 =  7.2      ｎd2 =1.60311 νd2 =60.64 
ｒ4 = -1692.8812            ｄ4 = （可変）  
ｒ5 =   206.7398            ｄ5 =  8.2      ｎd3 =1.6779  νd3 =55.34 
ｒ6 =  -150.6413            ｄ6 =  4        ｎd4 =1.76182 νd4 =26.52 
ｒ7 =   526.4049            ｄ7 =  0.2      
ｒ8 =    70.0284            ｄ8 = 10.819    ｎd5 =1.497   νd5 =81.54 
ｒ9 =  -247.369             ｄ9 = （可変）  
ｒ10=   365.846             ｄ10=  2.4      ｎd6 =1.51633 νd6 =64.14 
ｒ11=    33.5333            ｄ11=  5.0899   
ｒ12=  -483.2895            ｄ12=  2.2      ｎd7 =1.48749 νd7 =70.23 
ｒ13=    49.2289            ｄ13=  6.4473   ｎd8 =1.80518 νd8 =25.42 
ｒ14=   -77.7269            ｄ14=  0.7356   
ｒ15=  -145.6193            ｄ15=  2        ｎd9 =1.713   νd9 =53.87 
ｒ16=    57.5197            ｄ16=  5.8007   
ｒ17=   -31.2654            ｄ17=  5.1715   ｎd10=1.69895 νd10=30.13 
ｒ18=   -83.4383            ｄ18= （可変）  
ｒ19=     ∞（絞り）        ｄ19=  2        
ｒ20=   107.8266            ｄ20=  4        ｎd11=1.72916 νd11=54.68 
ｒ21=  -163.6507            ｄ21=  0.2      
ｒ22=    41.3947            ｄ22=  8.5699   ｎd12=1.497   νd12=81.54 
ｒ23=   -56.3516            ｄ23=  1.5494   
ｒ24=   -51.7375            ｄ24=  2.1      ｎd13=1.7495  νd13=35.28 
ｒ25=  -110.7758            ｄ25= （可変）  
ｒ26=  -126.408             ｄ26=  1.9      ｎd14=1.62004 νd14=36.26 
ｒ27=    55.6482            ｄ27=  7.1386   
ｒ28=   -25.213             ｄ28=  2.1      ｎd15=1.62004 νd15=36.26 
ｒ29=  -162.4763            ｄ29=  4.8      ｎd16=1.80518 νd16=25.42 
ｒ30=   -47.9498            ｄ30=  0.2      
ｒ31=  -805.7123            ｄ31=  8.2176   ｎd17=1.43875 νd17=94.93 
ｒ32=   -34.9001            ｄ32= （可変）  
ｒ33=  4053.4647            ｄ33=  4.7033   ｎd18=1.497   νd18=81.54 
ｒ34=   -77.3059            ｄ34=  0.2      
ｒ35=   129.5582            ｄ35=  5.6286   ｎd19=1.497   νd19=81.54 
ｒ36=   -90.5978            ｄ36=  3.4846   
ｒ37=   -44.1072            ｄ37=  2.5      ｎd20=1.7495  νd20=35.28 
ｒ38=  -814.7874            ｄ38=  0.2      
ｒ39=    67.201             ｄ39=  4.6      ｎd21=1.7432  νd21=49.34 
ｒ40=     ∞                ｄ40= （可変）  
ｒ41=     ∞                ｄ41=  4.5      ｎd22=1.51633 νd22=64.14 
ｒ42=     ∞                ｄ42=  1        
ｒ43=     ∞（像面）        
ズームデータ（ＩＯ＝∞）
ＷＥ            ＳＴ            ＴＥ
ｆ (mm)            35.5            59.2            98.5     
ｄ4                12.15811        12.15811        12.15811 
ｄ9                 3.6            18.8028         34.98754 
ｄ18               38.24231        17.07717         1.8     
ｄ25                1.83713         4.31757         8.39435 
ｄ32                8.05722         5.57678         1.5     
ｄ40               40.08196        46.03889        45.11561 
ズームデータ（ＩＯ＝1.1m）
ＷＥ            ＳＴ            ＴＥ
ｆ (mm)            35.5            59.2            98.5     
ｄ4                 1.4             1.4             1.4     
ｄ9                14.78495        29.98775        46.17249 
ｄ18               38.24231        17.07717         1.8     
ｄ25                1.83713         4.31757         8.39435 
ｄ32                8.05722         5.57678         1.5     
ｄ40               40.08196        46.03889        45.11561                 。
【００５９】
以上の実施例１〜４の無限遠物点合焦時の収差図をそれぞれ図５、図７、図９、図１１に、また、至近物点合焦時の収差図をそれぞれ図６、図８、図１０、図１２に示す。これらの収差図において、（ａ）は広角端、（ｂ）は中間状態、（ｃ）は望遠端におけるの球面収差、像面湾曲、歪曲収差、倍率色収差を示す。各図中、“ＦＩＹ”は最大像高を示す。
【００６０】
次に、上記各実施例における条件式（１）〜（９）の値を示す。
【００６１】
実施例１    実施例２    実施例３  実施例４
条件式（１）  22.498      14.604      20.429    20.902
条件式（２）   0.897       0.920       0.893     0.893
条件式（３）  44.81       26.75       44.81     44.81 
条件式（４）   0.392      -0.043       0.499     0.434
条件式（５）   1.51633     1.51633     1.51633   1.51633
条件式（６）   1.51633     1.67003     1.51633   1.51633
条件式（７）  28.82       28.82       28.82     28.82 
条件式（８）   1.324       1.277       1.298     1.303
条件式（９）  81.54       81.54       81.54     81.54 
94.93       81.54       94.93     94.93 
81.54       81.54       81.54     81.54                     。
【００６２】
次に、条件式（１）〜（９）各々のさらに好ましい範囲を以下に示す。複数の数値が示されている場合は、右の数値程より好ましい限界値である。
【００６３】
条件式    下限値                    上限値
（１）    １２                      ４０／３０／２５
（２）    ０．８                    １．０
（３）    ２２．５／２５            ４７．５／４５
（４）    −０．３／−０．１        ０．５
（５）    １．５０                  １．６０
（６）    １．５０                  １．６８
（７）    ２５                      ３０
（８）    １．２                    １．４
（９）    ７５／８０                １００／９５                          。
【００６４】
図１３は、本発明のズームレンズを用い、撮像素子として小型のＣＣＤ又はＣ−ＭＯＳ等を用いた撮像装置としての一眼レフレックスカメラの断面図である。図１３において、１は一眼レフレックスカメラ、２はズーム機構と合焦機構を備えた鏡筒内に配置された撮影レンズ系、３は撮影レンズ系２を一眼レフレックスカメラ１に着脱可能とする鏡筒のマウント部であり、スクリュータイプのマウントやバヨネットタイプのマウント等が用いられる。この例では、バヨネットタイプのマウントを用いている。
【００６５】
また、４は撮像素子面、５は撮影レンズ系２の光路６上のレンズ系と撮像素子面４との間に配置されたクイックリターンミラー、７はクイックリターンミラー５より反射された光路に配置されたファインダースクリーン、８はペンタプリズム、９はファインダー、Ｅは観察者の眼（アイポイント）である。
【００６６】
このような構成の一眼レフレックスカメラ１の撮影レンズ系２として、例えば上記実施例１〜４に示した本発明のズームレンズが用いられる。
【００６７】
以上の本発明によれば、一眼レフタイプのデジタルカメラに用いられる交換レンズとしてＦ２の大口径でありながら、高性能であり、サイズやコストにおいても満足のいく中望遠ズームレンズを実現することができる。
【図面の簡単な説明】
【００６８】
【図１】本発明のズームレンズの実施例１の無限遠物点合焦時の広角端（ａ）、望遠端（ｂ）でのレンズ断面図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】実施例１の無限遠物点合焦時の収差図である。
【図６】実施例１の至近物点合焦時の収差図である。
【図７】実施例２の無限遠物点合焦時の収差図である。
【図８】実施例２の至近物点合焦時の収差図である。
【図９】実施例３の無限遠物点合焦時の収差図である。
【図１０】実施例３の至近物点合焦時の収差図である。
【図１１】実施例４の無限遠物点合焦時の収差図である。
【図１２】実施例４の至近物点合焦時の収差図である。
【図１３】本発明のズームレンズを用いた一眼レフレックスカメラの断面図である。
【符号の説明】
【００６９】
Ｇ１…第１レンズ群
Ｇ２…第２レンズ群
Ｇ３…第３レンズ群
Ｓ…開口絞り
１Ａ…第１Ａ群
１Ｂ…第１Ｂ群
１Ｃ…第１Ｃ群
３Ａ…第３Ａ群
３Ｂ…第３Ｂ群
３Ｃ…第３Ｃ群
Ｆ…平行平板
Ｉ…像面
Ｅ…観察者の眼（アイポイント）
１…一眼レフレックスカメラ
２…撮影レンズ系
３…マウント部
４…撮像素子面
５…クイックリターンミラー
６…光路
７…ファインダースクリーン
８…ペンタプリズム
９…ファインダー
【図１】
2006301412.tif 000003
【図２】
2006301412.tif 000004
【図３】
2006301412.tif 000005
【図４】
2006301412.tif 000006
【図５】
2006301412.tif 000007
【図６】
2006301412.tif 000008
【図７】
2006301412.tif 000009
【図８】
2006301412.tif 000010
【図９】
2006301412.tif 000011
【図１０】
2006301412.tif 000012
【図１１】
2006301412.tif 000013
【図１２】
2006301412.tif 000014
【図１３】
2006301412.tif 000015